(57)【特許請求の範囲】
【請求項１】
動画信号を記録媒体に記録する記録手段と、
前記記録手段を制御して、前記動画信号の繰り返し記録の開始の指示に応じて、前記記録媒体の空き領域である所定の記録領域に対して前記動画信号の記録を開始し、前記所定の記録領域への記録開始から記録停止の指示があるまでの間に、前記所定の記録領域の空き領域がなくなった場合は、前記所定の記録領域に記録済みの動画信号を新たな動画信号により上書きし、記録停止の指示までの間、前記所定の領域に対して繰り返して動画信号を上書きして記録する、繰り返し記録を実行させる制御手段とを備え、
前記制御手段は、前記記録媒体がライトワンスの記録媒体であった場合に、前記繰り返し記録の開始の指示がなされても、前記記録手段による前記動画信号の前記繰り返し記録を実行させないようにすることを特徴とする画像記録装置。
【請求項２】
前記制御手段は、前記記録媒体がリライタブルの記録媒体であった場合に、前記記録手段による前記動画信号の前記繰り返し記録を実行することを許可することを特徴とする請求項１に記載の画像記録装置。
【請求項３】
前記制御手段は、前記繰り返し記録を実行する場合において、前記繰り返し記録の開始後、記録停止の指示があった場合、前記記録停止の指示から所定期間前までの動画信号を前記記録媒体に保存し、前記所定の記録領域のうち、前記記録停止の指示から前記所定期間前までの動画信号が記録されている領域以外の領域を空き領域にするように、前記記録手段を制御することを特徴とする請求項１または２に記載の画像記録装置。
【請求項４】
前記制御手段は、前記繰り返し記録の開始の指示があったときの前記記録媒体の空き領域である前記所定の領域に対し、前記動画信号の繰り返し記録を実行するように前記記録手段を制御することを特徴とする請求項１から３の何れか１項に記載の画像記録装置。
【請求項５】
前記記録媒体は交換可能な記録媒体であることを特徴とする請求項１から４の何れか１項に記載の画像記録装置。
【請求項６】
記録媒体への動画信号の繰り返し記録の開始の指示に応じて、前記記録媒体の空き領域である所定の記録領域に対して前記動画信号の記録を開始し、前記所定の記録領域への記録開始から記録停止の指示があるまでの間に、前記所定の記録領域の空き領域がなくなった場合は、前記所定の記録領域に記録済みの動画信号を新たな動画信号により上書きし、記録停止の指示までの間、前記所定の領域に対して繰り返して動画信号を上書きして記録する、繰り返し記録を実行させる方法であって、
前記記録媒体がライトワンスの記録媒体であった場合に、前記繰り返し記録の開始の指示がなされても、前記動画信号の前記繰り返し記録を実行させないようにすることを特徴とする画像記録方法。
【発明の詳細な説明】
【技術分野】
【０００１】
本発明は画像記録装置及び画像記録方法に関する。
【背景技術】
【０００２】
従来、ハードディスクやメモリカード、ＤＶＤなどのランダムアクセスな記録媒体に対し、動画像信号などの情報信号を記録し、再生する装置が知られている。
【０００３】
また、例えば、家庭用のＨＤＤ／ＤＶＤレコーダでは、ＨＤＤの一部の領域に対し、直前の所定期間（数十分から数時間）分のテレビ番組のデータを保存しておく。そして、ユーザーが番組を見逃した場合にも、保存しておいたテレビ番組のデータを後で見ることができるようにする、という機能を持つものがある。（例えば、特許文献１参照）
【先行技術文献】
【特許文献】
【０００４】
【特許文献１】特開２００３−３４８５１４号公報
【発明の概要】
【発明が解決しようとする課題】
【０００５】
前記のように、ＨＤＤ／ＤＶＤレコーダでは、ＨＤＤの一部の領域に対し、直前に受信したテレビ番組のデータを繰り返し記録している。一方、ビデオカメラでは、家庭用のＨＤＤ／ＤＶＤレコーダとは異なり、内蔵ＨＤＤを持たないものがある。このようなビデオカメラでは、撮影開始前の撮り逃したシーンを記録することができないという問題点があった。
【０００６】
そこで、ビデオカメラでは、内蔵するＤＲＡＭ等のメモリに対し、撮影開始の直前の動画像を繰り返し記憶しておくことも考えられている。
しかしながら、メモリに記録できるのはせいぜい数秒間程度であり、数分〜数十分もの長い時間、することはできない。
本発明は前述の問題点に鑑み、ユーザが所望するシーンを撮り逃すことを防ぐことができ、且つユーザの使い勝手がよい画像記録装置を提供できるようにすることを目的とする。
【課題を解決するための手段】
【０００７】
本発明の画像記録装置は、動画信号を記録媒体に記録する記録手段と、前記記録手段を制御して、前記動画信号の繰り返し記録の開始の指示に応じて、前記記録媒体の空き領域である所定の記録領域に対して前記動画信号の記録を開始し、前記所定の記録領域への記録開始から記録停止の指示があるまでの間に、前記所定の記録領域の空き領域がなくなった場合は、前記所定の記録領域に記録済みの動画信号を新たな動画信号により上書きし、記録停止の指示までの間、前記所定の領域に対して繰り返して動画信号を上書きして記録する、繰り返し記録を実行させる制御手段とを備え、前記制御手段は、前記記録媒体がライトワンスの記録媒体であった場合に、前記繰り返し記録の開始の指示がなされても、前記記録手段による前記動画信号の前記繰り返し記録を実行させないようにすることを特徴とする。
【発明の効果】
【０００８】
本発明によれば、記録媒体の所定の記録領域に対して動画信号を繰り返し記録するので、ユーザが所望するシーンを記録し逃すことを防止できる。また、ライトワンスの記録媒体に対する記録の失敗を未然に防ぐことができる。
【図面の簡単な説明】
【０００９】
【図１】ビデオカメラの構成例を説明するブロック図である。
【図２】プリレック時のメモリの様子を示す図である。
【図３】プリレック機能の動作を説明する図である。
【図４】ループ記録機能の動作を説明する図である。
【図５】ループ記録機能のファイルイメージを説明する図である。
【図６】ループ記録時の処理を示すフローチャートである。
【図７】警告画面を示す図である。
【図８】ループ記録時の処理を示すフローチャートである。
【図９】警告画面を示す図である。
【発明を実施するための形態】
【００１０】
＜ビデオカメラ構成＞
以下、図面を参照して本発明の好適な実施形態を説明する。
図１に本実施形態の撮像装置の一例としてのデジタルビデオカメラの構成例を説明するブロック図を示す。
【００１１】
図１において、１００は本実施形態のビデオカメラを示している。１０１はレンズユニットであり、集光のための固定レンズ群、変倍レンズ群、絞り、変倍レンズ群の動きで移動した結位置を補正する機能と焦点調節を行う機能とを兼ね備えた補正レンズ群により構成される。１０２は撮像素子であり、被写体を撮像し、動画像信号を出力する。１０３はカメラ信号処理回路であり、撮像素子１０２から出力された動画像信号に対し所定の画像処理を行う。
【００１２】
１０９はマイクロコンピュータであり、システム全体を制御する。１０８はフラッシュＲＯＭであり、マイクロコンピュータ１０９が実行するプログラム、及び各種パラメータなどが格納されている。
【００１３】
１１１はメモリであり、マイクロコンピュータ１０９や後述の圧縮回路１０４などが作業領域として使用したり、動画像信号を一時的に蓄積したりする揮発性記憶媒体である。１０７はバスである。１０４は圧縮回路であり、本実施形態においては、動画像信号をＭＰＥＧ２（Moving Picture Experts Group phase 2）方式にて圧縮する。マイクロコンピュータ１０９は圧縮回路１０４を制御し、メモリ１１１に設定した繰り返し記憶用の所定の領域に対し、圧縮された動画像信号を繰り返し記憶させること（巡回的に画像記録する巡回的記録を行うこと）が可能である。この繰り返し記憶の処理については後述する。
【００１４】
１１２はメモリカードインターフェース（カードＩ／Ｆ）である。カードＩ／Ｆ１１２はメモリカード１１３を装着、排出するための機構や、メモリカード１１３に対してデータの書き込み、読み出しを行う書き込み、読み出し部を含む。また、カードＩ／Ｆ１１２は、バス１０７を介して、各種のコマンドやデータを送受信する。１１３はメモリカードである。ユーザ（使用者）は、メモリカード１１３をビデオカメラ１００本体と着脱可能に装着され、容易に交換可能である。
カードＩ／Ｆ１１２は、メモリカード１１３が装着、排出されると、その旨をマイコン１０９に知らせる。また、マイコン１０９はメモリカード１１３が装着されると、メモリカード１１３と通信を行い、装着されたカードが、繰り返し記録可能なカードなのか、ライトワンスのメモリカードなのかを判別する。
【００１５】
本実施形態では、メモリカード１１３に対し、圧縮回路１０４で生成された動画像信号をFATファイルシステムなどマイクロコンピュータ１０９と互換のある所定ファイルシステムに従って記録する。メモリカード１１３は、フラッシュメモリや書き込み、読み出しのコントローラを含む。メモリカード１１３は書き込み禁止スイッチ（図示せず）が備わっている。ユーザはこの書き込み禁止スイッチを操作することで、メモリカード１１３に対するカードＩ／Ｆ１１２によるデータの書き込みを防ぐことができる。また、メモリカード１１３は、書き込み禁止設定がなされた場合、カードＩ／Ｆ１１２を介したマイクロコンピュータ１０９からの問い合わせに対し、書き込み禁止である旨の応答を送信する。
【００１６】
１０５は表示制御部であり、撮影時には、カメラ信号処理回路１０３からの動画像信号を液晶パネル１０６に表示し、再生時にはメモリカード１１３から読み出された動画像信号を表示する。また、表示制御部１０５は、各種のメニュー画面やタイトル、時間などの情報を動画像に多重して表示する。１０６は液晶パネルである。また、特に図示していないが、音声についてもマイクユニット、スピーカーや外部出力経路を設け、画像と共に圧縮伸張する。前述の圧縮ビデオデータには音声データも多重化される。
【００１７】
１１０は操作スイッチ群であり、電源スイッチや記録開始、停止を指示するためのスイッチ、再生ボタンやメニューボタン等、各種の操作部材を備え、操作入力手段として機能する。ユーザは、これらの操作部材を操作することにより、動画像の記録開始や停止、再生、或いは各種の機能を指示することができる。
次に、ビデオカメラ１００の基本的な記録、再生処理について説明する。
まず、撮影、記録処理について説明する。
操作スイッチ群１１０により電源が投入されると、マイコン１０９は各部を制御し、ビデオカメラ１００を撮影モードに設定する。撮影モードにおいては、撮像素子１０２により得られた動画像信号がカメラ信号処理回路１０３により処理され、表示制御部１０５により液晶パネル１０６に表示され、記録待機状態となる。この様な記録待機状態において、ユーザが液晶パネル１０６に表示された動画像を見ながら、操作スイッチ群１１０により撮影開始を指示すると、マイコン１０９は各部を制御し、メモリカード１１３に対する動画像信号の記録を開始する。そして、ユーザが操作スイッチ群１１０を操作して撮影停止を指示すると、メモリカード１１３に対する動画像信号の記録を停止する。本実施形態では、記録開始の指示から記録停止の指示までの間に記録された一連の動画像信号を一つの動画ファイルとして管理する。また、マイコン１０９は、メモリカード１１３に対し、動画像信号のファイルを管理するための管理情報や、その他、各種の必要な付加情報を生成して記録する。
【００１８】
次に、再生時の処理について説明する。
ユーザが操作スイッチ群１１０を操作して、再生モードへの切り替えを指示すると、マイコン１０９は各部を制御し、メモリカード１１３に記録された動画像信号のうち、何れかの動画ファイルを読み出す。そして、再生した動画像信号を圧縮回路１０４により復号し、表示制御部１０５により液晶パネル１０６に再生動画像を表示する。
【００１９】
また、本実施形態では、再生モードにおいて、ユーザが操作スイッチ群１１０を操作することで、メモリカード１１３に記録された動画ファイルのサムネイル画像の一覧画面を表示させることができる。サムネイル画像の一覧表示が指示されると、マイコン１０９は各部を制御し、メモリカード１１３に記録された動画ファイルのサムネイル画像を生成し、液晶パネル１０６に表示する。なお、本実施形態では、動画像の撮影時に、圧縮回路１０４が、その撮影開始の先頭画面をサムネイル画像データとして生成し、動画ファイルと共にメモリカード１１３に記録する。
ユーザは一覧画面に表示されたサムネイルのうち、所望の動画像のサムネイルを選択して再生を指示する。マイコン１０９は各部を制御し、指示された動画ファイルを再生する。
【００２０】
次に、プリレック機能について説明する。
本実施形態では、撮影モードにおいて、撮影開始の指示の直前の所定期間に撮影された動画像信号を繰り返しメモリ１１１に記憶しておく、プリレック機能を持つ。ユーザは操作スイッチ群１１０を操作することにより、プリレック機能を実行するかどうかを任意に設定することができる。プリレック機能が設定されると、カメラ信号処理回路１０３から出力された動画像信号を圧縮回路１０４により圧縮し、メモリ１１１の決められた記憶領域に対し、所定期間分の動画像信号を繰り返し記憶する。そして、撮影開始の指示があると、その時点でメモリ１１１に記憶されていた所定期間分の動画像信号の先頭から読み出し、メモリカード１１３に記録する。その後、継続してメモリカード１１３に対し、圧縮された動画像信号の書き込み、読み出しを繰り返し、撮影停止の指示があると、停止の指示があった画面までメモリカード１１３に記録し、記録を停止する。そして、引き続き、メモリ１１１に動画像信号を記憶しながら、次の撮影開始の指示を待つ。
この様なプリレック機能によれば、ユーザが撮影開始を指示する所定期間前からの動画像をメモリカード１１３に記録することができる。
【００２１】
図２は、プリレック機能が設定されているときに、圧縮回路１０４がメモリ１１１に対して圧縮された動画像信号を繰り返し記憶する様子を示す図である。前述のように、本実施形態では、メモリ１１１において、決められた領域（アドレス）をプリレック機能のための記憶領域に設定している。
図２において、２０２は動画像信号の繰り返し記憶領域である。繰り返し記憶領域２０２は、先頭アドレスが０ｘ００００１０００、最終アドレスが０ｘ０２０００ＦＦＦとする。本実施形態では、圧縮された動画像信号が数秒程度、例えば、５秒程度記憶可能な領域を繰り返し記憶領域に設定する。
【００２２】
圧縮回路１０４は、繰り返し記憶領域２０２の先頭から最終アドレスに向かい圧縮された動画像信号を順次記憶する。また、最終アドレスまで記憶したら、再度先頭アドレスに戻り記憶を続けていく。図２で、現在の書き込みアドレスが０ｘ１７ＦＦＦＦＦの場合、０ｘ１７ＦＦＦＦＦのデータが最新のデータであり、その直前のアドレスに記録されたデータが最も古いデータとなる。
圧縮回路１０４は、１フレーム分の圧縮された動画像信号をメモリ１１１に記憶する度に、その先頭アドレスの情報をマイコン１０９に通知する。これにより、マイコン１０９は、現在から所定フレーム前の動画像が記憶されているメモリ１１１のアドレスを確認することができる。
ユーザ操作によりプリレック機能を起動すると、圧縮回路１０４は動画像信号の圧縮動作を開始し、メモリ１１１の繰り返し記憶領域２０２に圧縮した動画像信号の書き込みを開始する。但し、この段階では、メモリ１１１に記憶された動画像信号をメモリカード１１３へは記録しない。そのため、記録停止状態において、繰り返し記憶領域２０２に対して、直前の所定期間分の動画像信号が常に蓄積されていることになる。
【００２３】
ここで、ユーザにより撮影開始の指示があると、メモリ１１１に記憶された所定期間前の動画像信号から読み出しを開始して、メモリカード１１３への記録を開始する。
図３は、撮影開始の指示があったときにメモリ１１１に蓄積されている動画像信号の様子を示す図である。
図３において、３０１で示すアドレスまでデータを記憶した時点で撮影開始の指示があると、その所定期間前、例えば、本実施形態では、３秒前の動画像信号の記憶アドレス３０２から動画像信号の読み出しを開始して、メモリカード１１３に記録する。マイコン１０９は、撮影指示を受け、現在の３秒前の動画像信号が記憶されているアドレスから動画像信号を読み出し、記録するようにカードＩ／Ｆ１１２に指示する。３０３は、撮影開始の指示から３秒前までの圧縮された動画像信号である。なお、本実施形態では、プリレック機能において、撮影指示の何秒前からメモリカード１１３に記録するか、ということを、１秒前〜５秒前の間でユーザが任意に設定することができる。
【００２４】
次にループ記録機能について説明する。
ループ機能とは、メモリカード１１３に対し、現在の所定期間前からの動画像信号を記録する機能である。ユーザが操作スイッチ群１１０を操作して、ループ記録開始を指示すると、マイコン１０９は各部を制御し、圧縮回路１０４による動画像信号の圧縮動作を開始する。そして、メモリカード１１３に対し、圧縮された動画像信号を逐次書き込む。このとき、マイコン１０９はカードＩ／Ｆ１１２を制御し、メモリカード１１３の空き領域に対して順次動画像信号を記録し、空き領域が無くなると、再度、メモリカード１１３においてループ記録を開始したアドレスに戻り、動画像信号を上書きする。
【００２５】
この様な処理をユーザが操作スイッチ群１１０を操作して記録停止を指示するまで繰り返す。そして、記録開始後に記録停止の指示があると、マイコン１０９は、カードＩ／Ｆ１１２に対して、記録停止の指示の時点から所定期間前までの動画像信号をそのままメモリカード１１３に記憶するように指示する。本実施形態では、例えば、ループ記録の際には、記録停止の指示から３０分前までの動画像信号をメモリカード１１３に記録し、３０分より前の動画像信号の記録領域は、再度、空き領域として管理する。
しかし、メモリカード１１３の空き領域に所定期間分の動画像信号を記録できない場合も考えられる。この場合、本実施形態では、後述のようにループ記録を禁止する構成としている。
【００２６】
図４において、４０１はメモリカード１１３の記録領域を示している。また、４０１ａは既に動画像信号などのデータの記録済み領域であり、４０１ｂは空き領域である。ループ記録開始の指示があると、空き領域４０１ｂに対して、順次動画像信号を記録し、空き容量がなくなると、矢印４０２に示すように、ループ記録を開始したアドレスまで戻り、上書きしていく。
【００２７】
図５は、ループ記録停止時におけるメモリカード１１３の様子を示す図である。図５において、５０１の時点で記録停止の指示があると、この記録停止時から所定期間、例えば３０分前の動画像信号の記録アドレスである５０２までの領域４０１ｃに記録された動画像信号をそのままメモリカード１１３に記録する。そして、空き領域４０１ｂのうち、領域４０１ｃ以外の部分を、再び空き領域として管理する。
【００２８】
説明を簡単にするためファイルシステムには触れなかったが、実際にはファイルシステムに則った管理がなされる。ＦＡＴファイルシステムでは、所定数のセクタをクラスタとして管理し、このチェーンを記録することでファイルの記録位置を管理する。よって、図４のように綺麗に記録領域を埋めていくのではなく、空き領域が分散している場合には飛び飛びの位置（クラスタ）に記録されることになる。
【００２９】
前記のように、ループ記録時には、メモリカード１１３の空き領域に対して繰り返し動画像信号を記録することとなる。
ここで、メモリカード１１３について考える。本実施形態では、繰り返しデータの上書きが可能なリライタブルなメモリカードに加え、一回のみ書き込み可能なライトワンスのメモリカードを装着して動画像信号を記録することができる。
そこで、ライトワンスのメモリカードが装着された状態でループ記録を行った場合、空き領域に全てデータを記録してしまい、且つ、この記録したデータを上書きできないことになる。
【００３０】
そのため、ユーザがライトワンスのメモリカードを装着した状態で、ループ記録機能を実行してしまうと、意図しないデータが記録され、且つ、そのデータを消去も上書きもできないので、記録媒体が無駄になってしまうことが考えられる。そこで、本実施形態では、カードＩ／Ｆ１１２に装着されたメモリカードがライトワンスのメモリカードであった場合には、ループ記録機能を実行させないようにした。
【００３１】
以下、図６のフローチャートを用いて本実施形態のビデオカメラ１００の処理手順を説明する。図６の処理は、マイコン１０９が各部を制御することにより実行される。
ループ記録の指示があると、処理が開始する（ステップＳ６０１）。まず、ステップＳ６０２において、メモリカード１１３が装着されているか否かを判定する。メモリカード１１３が装着されていた場合はステップＳ６０３へ、そうでない場合はステップＳ６０４へそれぞれ遷移する。
【００３２】
ステップＳ６０３においては、メモリカード１１３への書き込み許可か禁止かを判定する。この判定の結果、許可されている場合はステップＳ６０５へ、許可されていない場合はステップＳ６０４へそれぞれ遷移する。ステップＳ６０３における判定では、前述の書き込み禁止スイッチの状態で判定する。
【００３３】
ステップＳ６０４は、記録禁止処理である。メモリカード１１３がないか、または書き込み禁止の場合には、メモリカード１１３に対して動画像信号の記録を禁止する。
【００３４】
ステップＳ６０５においては、所定容量の空き領域（未使用領域）があるか否かを判定するために、記録媒体の未使用領域の容量である残容量を取得する容量取得を行う。この判定の結果、所定容量の空き領域が所定以下である場合はステップＳ６０６へ、所定の容量以下である場合はステップＳ６０８へそれぞれ遷移する。この判定は、ループ記録機能を実行するために必要な空き容量があるか否かを判定するものである。所定容量の空き領域はユーザが設定できる機能を設けてもよい。
【００３５】
ステップＳ６０６においては、カードＩ／Ｆ１１２に装着されているメモリカード１１３が、装着された記録媒体が一回のみ記録可能なライトワンス型記録媒体（ライトワンスメディア）であるか。または、繰り返し書き換え可能なリライタブル型記録媒体（追記型の記録媒体）であるかを判定する記録媒体判定する。この判定の結果、ライトワンスメディアである場合はステップＳ６０８へ、そうでない場合はステップＳ６０７へそれぞれ遷移する。
【００３６】
ステップＳ６０７はループ記録機能を許可する処理である。この処理は、ステップＳ６０６において取得された空き領域に対し、すなわち、取得された残容量の範囲で、記録停止が指示されるまで、動画像信号をメモリカード１１３に繰り返し記録する。なお、本実施形態においては、ループ記録の際に、繰り返し記録する期間（容量）を指定する記録容量指定機能を有している。また、ステップＳ６０８はループ記録機能を禁止する処理である。記録禁止状態となる場合（ステップＳ６０４からの遷移）、及び所定容量の空き領域がない場合（ステップＳ６０５からの遷移）、そして一回のみ記録可能なライトワンスメディアである場合（ステップＳ６０６からの遷移）にループ記録機能を禁止するものである。
【００３７】
図７は、ステップＳ６０８にてループ記録機能を禁止するときに液晶パネル１０６に表示する警告画面の一例を説明する図である。
図７において、７０１は液晶パネル１０６などに表示する表示画面例である。７０２は表示制御部１０５にて重畳されるビットマップ表示である。ビットマップ表示７０２はループレック機能が禁止であることを通知する表示であり、『ループ記録禁止』の文字列表示と、その要因である『ライトワンス』を表示する。『ライトワンス』の表示は要因であるので、容量不足、記録禁止等別な場合には差し替えて表示する。
【００３８】
前述のように、ループ記録機能は、メモリカード１１３の空き領域に対し、動画像信号を繰り返し記録することで、現在の所定期間前からの動画像信号を記録する機能である。一方ライトワンスメディアは一回のみ記録可能であり、一度記録した領域には上書きすることができない。よって、この組み合わせを排他するためにステップＳ６０６の判定、及びステップＳ６０７、またはステップＳ６０８の処理を行うものである。
【００３９】
以上、説明してきたように本実施形態によれば、記録媒体の空き領域に対し、繰り返し動画像信号を記録するループ記録機能を備えたので、所望のシーンを記録しのがすことが無い。また、内蔵のメモリに対して繰り返し動画像を記録するプリレック機能に比べ、長い期間動画像を繰り返し記録することができる。
更に、本実施形態では、ライトワンスメディアが装着されると、ループ記録の機能を禁止するので、ライトワンスメディアに無駄な動画像信号を記録してしまう失敗を未然に防ぐことが可能となる。
なお、本実施形態では、記録媒体としてメモリカードを用いる構成について説明したが、これ以外にも、例えばディスク媒体等の記録媒体を用いることも可能である。
【００４０】
（第２の実施形態）
本発明による別な実施形態について説明する。
図８は、本実施形態の特徴となる処理を説明するフローチャートである。図８の処理は、マイコン１０９が各部を制御することにより実現される。
ステップＳ８０１で処理が開始されると、ステップＳ８０２において、カードＩ／Ｆ１１２に装着されているメモリカード１１３がライトワンスメディアであるか否かを判定する。この判定の結果、ライトワンスメディアである場合はステップＳ８０４へ、そうでない場合はステップＳ８０３へそれぞれ遷移する。ステップＳ８０３はループ記録機能を作動させる処理であり、ステップＳ８０４はプリレックを作動させる処理である。ステップＳ８０３またはステップＳ８０４の処理が終了すると、ステップＳ８０５に進んでエンド処理を行う。
【００４１】
このような一連の処理により、ライトワンスメディアが挿入されているにもかかわらず繰り返し記録が必要なループ記録機能を選択されたとき、ループ記録機能の代わりにメモリ１１１を用いたプリレック機能を作動させることができる。
【００４２】
また、図９はループ記録機能を禁止し、プリレック機能に変更するときの警告画面を説明する図である。
図９において、９０１は、図７と同様に、液晶パネル１０６などに表示する表示画面例である。９０２は、やはり図７と同様に表示制御部１０５にて重畳されるビットマップ表示である。
【００４３】
ビットマップ表示９０２は、ループ記録機能が禁止であることを通知する表示であり、『ループ記録禁止』の文字列表示と、その要因である『ライトワンス』を表示する。『ライトワンス』の表示は要因であるので、容量不足、記録禁止等別な場合には差し替えて表示する。さらに、プリレックに変更することを示すため、『プリレックに変更します』と表示する。
【００４４】
以上これまで説明してきたように、本実施形態によれば、ライトワンスメディア時であってループ記録機能を選択されているときに、プリレック機能に自動的に切り替えることが可能となる。したがって、第１の実施形態の効果に加え、ライトワンスメディアであっても、記録開始タイミングよりも所定時間前の動画像信号を記録媒体に記録することが可能になり、記録開始タイミングでの撮り逃がしを防ぐことが可能となる。
【００４５】
（本発明に係る他の実施の形態）
前述した本発明の実施の形態における記録装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４６】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００４７】
なお、本発明は、前述した記録方法における各工程を実行するソフトウェアのプログラムを、システムあるいは装置に直接、あるいは遠隔から供給する。実施の形態では図６、図８に示すフローチャートに対応したプログラム供給する。そして、そのシステムあるいは装置のコンピュータが前記供給されたプログラムコードを読み出して実行することによっても達成される場合を含む。
【００４８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４９】
その場合、プログラムの機能を有していれば、オブジェクトコード、インタプリタにより実行されるプログラム、ＯＳに供給するスクリプトデータ等の形態であってもよい。
【００５０】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５１】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００５２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバも、本発明に含まれるものである。
【００５３】
また、本発明のプログラムを暗号化してＣＤ−ＲＯＭ等の記憶媒体に格納してユーザーに配布し、所定の条件をクリアしたユーザーに対し、インターネットを介してホームページから暗号化を解く鍵情報をダウンロードさせる。そして、その鍵情報を使用することにより暗号化されたプログラムを実行してコンピュータにインストールさせて実現することも可能である。
【００５４】
また、コンピュータが、読み出したプログラムを実行することによって、前述した実施の形態の機能が実現される他、コンピュータ上で稼動しているＯＳなどが、実際の処理の一部または全部を行うことによっても前述した実施の形態の機能が実現され得る。
【００５５】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【符号の説明】
【００５６】
１００  ビデオカメラ、１０１  レンズユニット、１０２  撮像素子、１０３  カメラ信号処理回路、１０４  圧縮回路、１０５  表示制御部、１０６  液晶パネル、１０７  バス、１０８  フラッシュＲＯＭ、１０９  マイクロコンピュータ、１１０  操作スイッチ群、１１１  メモリ、１１２  カードＩ／Ｆ、１１３  メモリカード
【図１】
0005451203.tif 000002
【図２】
0005451203.tif 000003
【図３】
0005451203.tif 000004
【図４】
0005451203.tif 000005
【図５】
0005451203.tif 000006
【図６】
0005451203.tif 000007
【図７】
0005451203.tif 000008
【図８】
0005451203.tif 000009
【図９】
0005451203.tif 000010